【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて緊急呼を識別する機構であって、呼を緊急呼として識別する表示を備え、それにより前記緊急呼が緊急でないより前に前記ネットワークによって処理されることを特徴とする機構。
【請求項２】
前記表示が、ビットフラグであることを特徴とする請求項１に記載の機構。
【請求項３】
前記表示が、情報要素であることを特徴とする請求項１に記載の機構。
【請求項４】
前記表示は、前記ネットワーク上のアクセスポイント（ＡＰ）によって受信され、前記緊急呼は、前記ネットワーク上の端末によって起動され、前記表示は、前記ＡＰが他の呼を承認するために必要な認証手順を実行することを、前記緊急呼を追加する端末に要求することなく前記ＡＰが前記緊急呼を承認するために、使用されることを特徴とする請求項１に記載の機構。
【請求項５】
デュアルモード端末による緊急呼を加える方法であって、
前記緊急呼を起動するステップと、
前記端末がセルラーネットワーク上で動作する性能があるかどうかを決定するステップと、
前記端末が前記セルラーネットワーク上で動作する性能がある場合には前記セルラーネットワーク上で前記緊急呼を継続するステップと、
前記緊急呼が前記セルラーネットワーク上において完了されたかどうかを決定するステップと、
前記緊急呼が前記セルラーネットワーク上において完了されなかった場合にはＩＥＥＥ ８０２．ｘｘネットワーク上において前記緊急呼を継続するステップと
を備えたことを特徴とする方法。
【請求項６】
ワイヤレスネットワーク上に端末による緊急呼を加えるユーザの位置を突き止める方法であって、
緊急呼を起動するステップと、
予め定められた時間の間、前記ユーザの位置を突き止めるための緊急信号フレームを送信するステップと
を備えたことを特徴とする方法。
【請求項７】
ワイヤレスネットワーク上に端末による緊急呼を加えるユーザの位置を突き止める方法であって、
緊急呼を起動するステップと、
緊急信号フレームを送信するステップと、
エマージェンシワーカが予め定められた前記ユーザの範囲内にある場合に前記ユーザと前記エマージェンシワーカとの間に直接接続を確立するステップと
を備えたことを特徴とする方法。
【請求項８】
ワイヤレスネットワークにおいて緊急呼をサポートする方法であって、
前記ネットワーク上のアクセスポイント（ＡＰ）が前記緊急呼を受信するステップであって、前記緊急呼は、前記ネットワーク上の端末によって起動される、ステップと、
前記端末が前記緊急呼を完了するのに十分な性能を有するかどうかを前記ＡＰにおいて決定するステップと、
前記端末が前記緊急呼を完了するのに十分な性能を有さない場合には前記ＡＰを前記端末に対するプロキシとして動作させるステップと
を備えたことを特徴とする方法。
【請求項９】
前記ＡＰにより前記緊急呼に位置情報を加えるステップをさらに備えたことを特徴とする請求項８に記載の方法。
【請求項１０】
前記ＡＰにより前記ネットワーク上のトラフィックを監視することによって、前記ＡＰが端末に対するプロキシとして動作することができるよう、前記ＡＰが前記ネットワーク上の端末の性能情報を取得するステップをさらに備えたことを特徴とする請求項８に記載の方法。
【請求項１１】
ワイヤレスネットワークに緊急呼を加える方法であって、
緊急呼を生起する端末からの、該端末が緊急呼を生起していることの表示を含むＲＴＳフレームをアクセスポイント（ＡＰ）において受信するステップと、
前記ＡＰが緊急でない端末をバックオフさせることにより、前記緊急呼を生起している端末が、前記緊急でない端末より前にネットワークにアクセスすることができるステップと
を備えたことを特徴とする方法。
【請求項１２】
前記バックオフさせるステップが、前記ネットワークにアクセスすることを試みる前に、緊急でない端末よりも短い時間の間、前記緊急呼を生起している端末を待たせるステップを含むことを特徴とする請求項１１に記載の方法。
【請求項１３】
前記バックオフさせるステップが、前記ネットワークにアクセスすることを試みる前に、前記緊急呼を生起している端末よりも長い時間の間、緊急でない端末を待たせるステップを含むことを特徴とする請求項１１に記載の方法。
【請求項１４】
ワイヤレスネットワークにおいて緊急呼をサポートする方法であって、
前記ネットワーク上のアクセスポイント（ＡＰ）が緊急呼を受信するステップであって、前記緊急呼は、前記ネットワーク上の端末によって起動される、ステップと、
前記ＡＰが他の呼を承認するために必要な認証手順を実行することを、前記緊急呼を追加する端末に要求することなく、前記ＡＰが前記緊急呼を承認するステップと
を備えたことを特徴とする方法。
【請求項１５】
前記承認するステップは、前記緊急呼を承認するために前記ネットワークのセキュリティ要件を迂回するステップを含むことを特徴とする請求項１４に記載の方法。
【請求項１６】
ワイヤレスネットワーク上の端末による緊急呼を加える方法であって、
前記緊急呼を送信するために前記端末が使用する好ましい無線技術を示すステップと、
前記緊急呼を起動するステップと、
可能である場合には前記好ましい無線技術上において前記緊急呼を継続するステップと、
前記緊急呼が前記好ましい無線技術上において完了されたかどうかを決定するステップと、
前記緊急呼が前記好ましい無線技術を使用して完了されなかった場合には、代替無線技術上において前記緊急呼を継続するステップと
を備えることを特徴とする方法。
【請求項１７】
前記好ましい無線技術は、ワイヤレス・ローカル・エリア・ネットワークおよびワイヤレス・メトロポリタン・エリア・ネットワークからなるグループから選択され、
前記代替無線技術は、セルラー無線技術であることを特徴とする請求項１６に記載の方法。
【請求項１８】
前記好ましい無線技術は、セルラー無線技術であり、
前記代替無線技術は、ワイヤレス・ローカル・エリア・ネットワークおよびワイヤレス・メトロポリタン・エリア・ネットワークからなるグループから選択されることを特徴とする請求項１６に記載の方法。
【請求項１９】
前記好ましい無線技術の表示が、前記端末に格納されることを特徴とする請求項１６に記載の方法。
【請求項２０】
前記好ましい無線技術の表示が、前記端末における加入者識別モジュールに格納されることを特徴とする請求項１６に記載の方法。
【請求項２１】
前記好ましい無線技術の表示が、前記ネットワークからの前記端末によって受信されることを特徴とする請求項１６に記載の方法。
【請求項２２】
無線送受信ユニット（ＷＴＲＵ）であって、
アンテナと、
送信機／受信機と、
呼を緊急呼として識別するために表示を呼に追加するように構成されたプロセッサと
からなることを特徴とするＷＴＲＵ。
【請求項２３】
前記表示は、緊急でない呼より前に前記緊急呼を処理するために使用されることを特徴とする請求項２２に記載のＷＴＲＵ。
【請求項２４】
前記表示は、ビットフラグであることを特徴とする請求項２２に記載のＷＴＲＵ。
【請求項２５】
前記ビットフラグは、媒体アクセス制御フレーム内に位置することを特徴とする請求項２４に記載のＷＴＲＵ。
【請求項２６】
前記ビットフラグは、送信要求フレーム内に位置することを特徴とする請求項２４に記載のＷＴＲＵ。
【請求項２７】
前記表示は、情報要素であることを特徴とする請求項２２に記載のＷＴＲＵ。
【請求項２８】
前記情報要素は、緊急呼フラグを含むことを特徴とする請求項２７に記載のＷＴＲＵ。
【請求項２９】
前記情報要素は、理由コードを含むことを特徴とする請求項２７に記載のＷＴＲＵ。
【請求項３０】
前記情報要素は、前記ＷＴＲＵの性能を識別する性能情報フィールドを含むことを特徴とする請求項２７に記載のＷＴＲＵ。
【請求項３１】
前記情報要素は、前記ＷＴＲＵの位置を突き止めるための情報を有する位置情報フィールドを含むことを特徴とする請求項２７に記載のＷＴＲＵ。
【請求項３２】
前記情報要素は、前記ＷＴＲＵによって使用されるコーデックを識別するために音声コーデックフィールドを含むことを特徴とする請求項２７に記載のＷＴＲＵ。
【請求項３３】
デュアルモード無線送受信ユニット（ＷＴＲＵ）であって、
アンテナと、
送信機／受信機と、
プロセッサであって、
緊急呼を起動し、
前記ＷＴＲＵがセルラーネットワーク上で動作する性能があるかどうかを決定し、
前記ＷＴＲＵが前記セルラーネットワーク上で動作する性能がある場合には前記セルラーネットワーク上で前記緊急呼を継続し、
前記セルラーネットワーク上で前記緊急呼が完了したかどうかを決定し、
前記緊急呼が前記セルラーネットワーク上で完了しなかった場合にはＩＥＥＥ  ８０２．ｘｘネットワーク上で前記緊急呼を継続するように構成された、プロセッサと
を備えたＷＴＲＵ。
【請求項３４】
緊急呼を加えるユーザの位置を突き止めるように構成された無線送受信ユニット（ＷＴＲＵ）であって、
アンテナと、
送信機／受信機と、
プロセッサであって、
緊急呼を起動し、
予め定められた時間の間、前記ユーザの位置を突き止めるための緊急信号フレームを送信するように構成された、プロセッサと
を備えることを特徴とするＷＴＲＵ。
【請求項３５】
緊急呼を加えるように構成された無線送受信ユニット（ＷＴＲＵ）であって、
アンテナと、
送信機／受信機と、
プロセッサであって、
前記緊急呼を送信するために前記ＷＴＲＵが使用する好ましい無線技術を示し、
前記緊急呼を起動し、
可能である場合には、前記好ましい無線技術上で前記緊急呼を継続し、
前記好ましい無線技術を使用して前記緊急呼が完了したかどうかを決定し、
前記好ましい無線技術を使用して前記緊急呼が完了しなかった場合には代替無線技術上で前記緊急呼を継続するように構成された、プロセッサと
を備えることを特徴とするＷＴＲＵ。
【請求項３６】
前記好ましい無線技術は、ワイヤレス・ローカル・エリア・ネットワークおよびワイヤレス・メトロポリタン・エリア・ネットワークからなるグループから選択され、
前記代替無線技術は、セルラー無線技術であることを特徴とする請求項３５に記載のＷＴＲＵ。
【請求項３７】
前記好ましい無線技術は、セルラー無線技術であり、
前記代替無線技術は、ワイヤレス・ローカル・エリア・ネットワークおよびワイヤレス・メトロポリタン・エリア・ネットワークからなるグループから選択されることを特徴とする請求項３５に記載のＷＴＲＵ。